(57)【要約】【課題】容器の口元でマスカラ化粧料を掻き取ることなく、ユーザが任意に塗布具に付着させる内容物を調整できる化粧品部材を提供することを目的とする。【解決手段】少なくとも頚部を備える頂面を開口したジャー容器Ｃに対して装着が可能である装着部１０と、櫛歯状の塗布部を有するコームブラシＢを擦り付けることが可能な装着部１０と一体となっている掻き取り調整部１２とを備え、掻き取り調整部１２は、コームブラシＢの塗布部を擦り付けることを可能とする形状であり、コームブラシＢに付着するマスカラ化粧料Ｍを掻き取ることが可能な面取部１３を有している。【選択図】図１
2010207560.tif 000002
【特許請求の範囲】
【請求項１】
少なくとも頚部を備える頂面を開口した容器に対して装着が可能である装着部と、
櫛歯状の塗布部を有する化粧料塗布具を擦り付けることが可能な上記装着部と一体となっている掻き取り調整部と、を備え、
上記掻き取り調整部は、化粧料塗布具の塗布部を擦り付けることを可能とする形状であり、化粧料塗布具に付着する化粧料を掻き取ることが可能な面取部を有していることを特徴とする化粧品部材。
【請求項２】
上記掻き取り調整部は、上記装着部が帳面を開口した容器に装着されたとき、該掻き取り調整部が容器開口部の内径方向に突き出し、且つ、化粧料塗布具が該掻き取り調整部と非接触となるように容器内部へ挿入及び引き戻し可能な空間が容器開口部の内径に形成される形状となることを特徴とする請求項１に記載の化粧品部材。
【請求項３】
さらに掻き取り掃除部を備え、
上記掻き取り掃除部は、上記装着部と一体となっており、化粧料塗布具の塗布部を擦り付けることが可能な形状であり、化粧料塗布具に付着する化粧料を除去することが可能な櫛歯状のスリット部を有していることを特徴とする請求項１又は２に記載の化粧品部材。
【請求項４】
上記掻き取り掃除部は、上記装着部が帳面を開口した容器に装着されたとき、該掻き取り掃除部が容器開口部の内径方向に突き出し、且つ、容器開口部の内径方向に突き出している上記掻き取り調整部と所定間隔離れ、化粧料塗布具が該掻き取り調整部と該掻き取り掃除部に非接触となるように容器内部へ挿入及び引き戻し可能な空間が容器開口部の内径に形成される形状となることを特徴とする請求項１から３いずれかに記載の化粧品部材。
【請求項５】
上記装着部は、環状形状であり、且つ、頚部を有する容器のその頚部と嵌合することが可能な形状であることを特徴とする請求項１か４いずれかに記載の化粧品部材。
【発明の詳細な説明】
【技術分野】
【０００１】  本発明は、化粧料塗布具を擦り付けることが可能な化粧品部材に関する。
【背景技術】
【０００２】  従来、マスカラ化粧料が充填されている容器には、開口部の経口が狭いボトルタイプのものが知られている。このボトルタイプの容器を使用して睫毛にマスカラ化粧料を塗布する場合、まずマスカラ化粧料が充填されているボトル容器に塗布具であるブラシを挿入し、ブラシにマスカラ化粧料を付着させた後にブラシを引き抜く。このとき、ボトル容器にはブラシにマスカラ化粧料が付着しすぎるのを防ぐ為にシゴキが備えられており、このシゴキでブラシを扱くことにより、ブラシについている余分なマスカラ化粧料を取り除くことができる。そして、ユーザは引き抜いたブラシに付着しているマスカラ化粧料を睫毛へ塗布するものである。【０００３】  このボトル容器に充填されているマスカラ化粧料を使用する場合の塗布具としては、支持棒の側面と先端に塗布部が形成されているタイプのブラシが多く用いられている。このタイプのブラシの場合、ユーザは主にブラシを横向きにして塗布具の側面の塗布部を使用するものである。【０００４】  そして、通常ユーザがマスカラ化粧料を睫毛へ塗布するときは鏡などを用いるが、ブラシを横向きにして使用する場合、ユーザの利き腕側とは反対側の睫毛にマスカラ化粧料を塗布するとき、鏡に映る視界を自身の指などで遮られることがある。故に、横向きにして使用するブラシはマスカラ化粧料を睫毛に塗布するブラシとしては使いづらいという難点があった。【０００５】  この横向きにして使用するブラシの難点を解決するためのブラシとしては、塗布具の支持棒の先端に長手方向に延びる塗布部が形成されたタイプのブラシがある。このブラシを用いてマスカラ化粧料を睫毛に塗布する場合、ブラシをたて向きで使用することになるので、ユーザは自身の指などで視界を遮られることがなく、横向きにして使用するブラシよりも使い勝手がよい。【０００６】  しかし、マスカラ化粧料を充填する容器がボトルタイプの場合、ボトル容器からブラシを引き抜くことでシゴキによってブラシの側面の塗布部に付着している余分なマスカラ化粧料を取り除くことはできても、容器の構造的にブラシの先端部分は扱くことは難しく、マスカラ化粧料が支持棒先端の塗布部に塊となって付着してしまっていた。【０００７】  このように、ブラシの先端部分にマスカラ化粧料が塊として残される不具合を解消するためには、ボトルタイプの容器以外に開口部の経口が広い容器にマスカラ化粧料を充填させる方法がある。そして、この開口部（頚部）の経口が広い容器としてはジャー容器（クリーム容器）などが考えられる。
そのジャー容器にシゴキを備えた例として下記特許文献１、２に記載の発明がある。【０００８】  この特許文献１、２には、広口の頚部の容器に掻き取り栓が備えられており、容器に充填されている内容物を塗布具に付着させた後、容器から塗布具を取り出すときにこの掻き取り部によって塗布具が扱かれることにより、塗布具に付着している余分な内容物を掻き取ることができる発明が記載されている。
【先行技術文献】
【特許文献】
【０００９】
【特許文献１】特開２００４−３２１２７１
【特許文献２】特開２００５−１５２０６４
【発明の概要】
【発明が解決しようとする課題】
【００１０】  しかし、特許文献１、２で開示されている発明についても、掻き取り栓によって塗布具の側面は扱くことはできるが、塗布具の先端に付着ている余計な内容物を扱くことはできない。【００１１】  また、ユーザはブラシの先端に扱き切れずに付着している余分なマスカラ化粧料の塊をボトル容器、ジャー容器、どちらの容器においてもその口元で掻き取ってからマスカラ化粧料を睫毛に塗布していた。しかし、そのように容器の口元でマスカラ化粧料の塊を掻き取ると、容器の口元がベタベタになり非常に汚くなってしまうという不具合があり、そのまま口元に付着したマスカラ化粧料を放置すると乾いて固化してしまい容器の蓋が閉めづらくなるという不具合が生じていた。【００１２】  さらに、ブラシを容器から引き抜くことで自動的にシゴキがブラシに付着した内容物を扱くことになるので、ユーザがマスカラ化粧料の付着量を任意に調整することは難しかった。【００１３】  そこで、本発明は、容器の口元でマスカラ化粧料を掻き取ることなく、ユーザが任意に塗布具に付着させる内容物を調整できる化粧品部材を提供することを目的とする。
【課題を解決するための手段】
【００１４】  少なくとも頚部を備える頂面を開口した容器に対して装着が可能である装着部と、櫛歯状の塗布部を有する化粧料塗布具を擦り付けることが可能な上記装着部と一体となっている掻き取り調整部とを備え、上記掻き取り調整部は、化粧料塗布具の塗布部を擦り付けることを可能とする形状であり、化粧料塗布具に付着する化粧料を掻き取ることが可能な面取部を有していることを特徴としている。【００１５】  また、上記掻き取り調整部は、上記装着部が帳面を開口した容器に装着されたとき、該掻き取り調整部が容器開口部の内径方向に突き出し、且つ、化粧料塗布具が該掻き取り調整部と非接触となるように容器内部へ挿入及び引き戻し可能な空間が容器開口部の内径に形成される形状となることを特徴としている。【００１６】  また、さらに掻き取り掃除部を備え、
上記掻き取り掃除部は、上記装着部と一体となっており、化粧料塗布具の塗布部を擦り付けることが可能な形状であり、化粧料塗布具に付着する化粧料を除去することが可能な櫛歯状のスリット部を有していることを特徴としている。【００１７】  また、上記掻き取り掃除部は、上記装着部が帳面を開口した容器に装着されたとき、該掻き取り掃除部が容器開口部の内径方向に突き出し、且つ、容器開口部の内径方向に突き出している上記掻き取り調整部と所定間隔離れ、化粧料塗布具が該掻き取り調整部と該掻き取り掃除部に非接触となるように容器内部へ挿入及び引き戻し可能な空間が容器開口部の内径に形成される形状となることを特徴としている。【００１８】  また、上記装着部は、環状形状であり、且つ、頚部を有する容器のその頚部と嵌合することが可能な形状であることを特徴としている。【００１９】  このような構成とすることで本発明は、化粧料塗布具を容器内部へ挿入させた後、掻き取り調整部又は掻き取り掃除部に擦り付けることが可能となる。
【発明の効果】
【００２０】  本願発明の化粧品部材は、化粧料の内容物が付着している化粧料塗布具の塗布部を掻き取り調整部又は掻き取り掃除部に擦り付けることにより、化粧料塗布具を容器の口元に擦り付ける必要がなくなり、内容物が付着して容器の口元が汚れることがない。
また、この掻き取り調整部がボトルタイプの容器よりも開口部の経口が広いジャー容器等の頚部に備えられることで、ユーザは容器に充填されている化粧料の残量を目視で確認することができるので化粧料を最後まで使い切ることができると共に、塗布具に付着させる内容物の量を目視して調節することができる。さらに、掻き取り掃除部を備えることにより、使用し終わった後の化粧料塗布具に付着する化粧料を除去することができるので化粧料塗布具を衛生的に保つことができる。
【図面の簡単な説明】
【００２１】
【図１】本発明の第１実施形態に係る化粧品部材の斜視図である。
【図２】第１実施形態の化粧品部材の断面図である。
【図３】第１実施形態の化粧品部材が備える掻き取り調整部が有する面取部の変形例である。
【図４】第１実施形態の化粧品部材がジャー容器に装着されたときの斜視図である。
【図５】本発明の化粧品部材に使用する化粧料塗布具の例であるコームブラシの全体図である。
【図６】化粧料塗布具のコームブラシの先端部分を拡大した図である。
【図７】ジャー容器に装着された化粧品部材の掻き取り調整部でコームブラシに付着しているマスカラ化粧料を掻き取るとき態様を示している図である。
【図８】第２実施形態に係る化粧品部材の斜視図である。
【図９】第２実施形態の化粧品部材の断面図である。
【図１０】第２実施形態の化粧品部材がジャー容器に装着されたときの斜視図である。
【図１１】ジャー容器に装着された化粧品部材の掻き取り掃除部でコームブラシに付着しているマスカラ化粧料を掻き取るときの態様を示している図である。
【図１２】掻き取り掃除部にコームブラシの先端が嵌合しているところの拡大図である。
【発明を実施するための形態】
【００２２】  以下、添付図面を参照して、本発明の実施形態について詳細に説明する。なお、同一又は相当要素には同一符号を付して重複する説明は省略する。
【００２３】［第１実施形態］
まず、本発明の第１実施形態について説明する。
図１には本発明の第１実施形態に係る化粧品部材１００の斜視図を示しており、この化粧品部材１００には装着部１０、掻き取り調整部１２が備えられている。また、図２には図１に示す化粧品部材１００の断面図を示している。
【００２４】  図１、図２に示す化粧品部材１００の装着部１０は環状形状となっており、図２に示す装着部１０の内側１０ａの形状は、例えば、頂面を開口したジャー容器（クリーム容器）が備える頚部に嵌合が可能な形状となっている。
【００２５】  掻き取り調整部１２は化粧料塗布具の塗布部を擦り付けることが可能であり、化粧料塗布具に付着している化粧料を掻き取ることが可能な形状をしている面取部１３を有している。
【００２６】  この掻き取り調整部１２は環状形状となっている装着部１０の環の内側に位置し、環状形状の装着部１０の環の内径側に突き出るように形成されている。そして、掻き取り調整部１２が有する面取部１３は、図１、図２に示すように、掻き取り調整部１２の上面１２ａ中程から、掻き取り調整部１２の先端１２ｃへ向かって掻き取り調整部１２の下面１２ｂへ下方傾斜するように形成されている。
【００２７】  掻き取り調整部１２の面取部１３をこのような形状とすることで化粧料塗布具の塗布部を面取部１３に擦り付けた場合に塗布部に付着している化粧料を効率的に掻き取ることができる効果を有するものである。
【００２８】  また、面取部１３の形状は、図１、図２に示した形状以外にも、例えば、図３に示すように掻き取り調整部１２の下面１２ｂの中程から先端１２ｃへ向かって上面１２ａへ上方傾斜する形状としてもよい。このような形状とすることでも、図１、図２で示した面取部１３の形状と同様の効果を得ることができる。
なお、面取部１３の形状としては上述した形状以外にも、化粧料塗布具の塗布部に付着した化粧料を掻き取ることができる形状であればどんな形状でもよい。
【００２９】  図４は、化粧品部材１００をジャー容器Ｃに装着した場合の斜視図を示している。化粧品部材１００は、頂面が開口しているジャー容器Ｃの頚部と図２に示した装着部１０の内側１０ａが嵌合し、図４に示すようにジャー容器Ｃに装着されている。そして、図示するように化粧品部材１００の掻き取り調整部１２は、装着部１０の内径側に突き出るように備えられているので、装着部１０がジャー容器Ｃの頚部に勘合すると、掻き取り調整部１２がジャー容器Ｃの開口部の内側に突き出すことになる。
また、化粧品部材１００は、ジャー容器Ｃの頚部と装着部１０が嵌合したままでもジャー容器Ｃは蓋を装着することが可能な形状となっている。
【００３０】  図５、図６には、第１実施形態の化粧品部材１００と後述する第２実施形態の化粧品部材２００において使用する化粧料塗布具の例であるコームブラシＢを示しており、図５にはコームブラシＢの全体図を示し、図６には図５に示すコームブラシＢの先端Ｂ’の拡大図を示している。
【００３１】  図示するようにコームブラシＢは、柄の先端に櫛歯状の塗布部が長手方向へ延びているタイプの化粧料塗布具である。そして、コームブラシＢの柄の長さとしては、少なくともジャー容器Ｃの底部にコームブラシＢの先端Ｂ’が接触しているときでもジャー容器Ｃの頂面より上方に柄が突出する程度の長さを有するものが好ましい。
【００３２】  本願発明の化粧品部材１００及び化粧品部材２００においては、このようなコームブラシＢを使用することで最も効果を得ることができるものである。
【００３３】  図７は、ジャー容器Ｃに化粧品部材１００を装着し、このジャー容器Ｃに充填されているマスカラ化粧料ＭをコームブラシＢに付着させたあと、先端Ｂ’に付着した余分なマスカラ化粧料Ｍを掻き取り調整部１２で掻き取っている態様を示している。
図示するように、コームブラシＢの先端Ｂ’を掻き取り調整部１２に擦り付けることで余分なマスカラ化粧料Ｍを面取部１３で掻き取ることができる。
【００３４】  ここで、化粧品部材１００における環状形状の装着部１０の内径の直径としては、通常に使用されるコームブラシＢが、化粧品部材１００が備える掻き取り調整部１２及び装着部１０に接触することなく装着部１０の内径へ挿入及び引き戻しが可能な程度の直径である。つまり、ジャー容器Ｃに化粧品部材１００が装着されているときに、コームブラシＢをジャー容器Ｃの内部へ挿入及びジャー容器Ｃの外部への引き戻しを行っても、コームブラシＢ及びコームブラシＢに付着しているマスカラ化粧料Ｍが掻き取り調整部１２や装着部１０に接触することがない装着部１０の内径の直径である。
【００３５】  ただし、装着部１０の内径の直径は上述した直径に限られるもではなく、装着するジャー容器Ｃの開口部の直径に比例して変化させてもよい。例えば、通常に使用されるコームブラシＢが内部への挿入が不可能な直径の開口部を有するジャー容器Ｃの場合、装着部１０の内径はそのジャー容器Ｃの開口部の直径と同じ直径としてもよい。その場合は、コームブラシＢについても通常に使用されるものよりも小さいコームブラシＢを使用することになる。
【００３６】  ここまで説明してきたように化粧品部材１００を用いることで、掻き取り調整部１２の面取部１３においてコームブラシＢに付着している余分なマスカラ化粧料Ｍを掻き取ることができるので、従来のようにジャー容器Ｃの口元でマスカラ化粧料Ｍを掻き取り、口元が汚れてしまうことがなくなる。
【００３７】  また、掻き取り調整部１２が装着部１０の内側に備えられることで、面取部１３において掻き取られた余分なマスカラ化粧料Ｍが面取部１３から剥がれ落ちることがあっても、ジャー容器Ｃの内部に落下することになるので、ジャー容器Ｃの外面についてもマスカラ化粧料Ｍで汚すことがない。
【００３８】  そして、ユーザは、面取部１３を視認しながら効率的にコームブラシＢに付着している余分なマスカラ化粧料Ｍの掻き取り作業を行うことが可能となるので、コームブラシＢに付着させるマスカラ化粧料Ｍの量を任意に調節することができる。
【００３９】［第２実施形態］
次に本願発明の第２実施形態について説明する。
図８に示すのは、本発明の第２実施形態に係る化粧品部材２００の斜視図である。化粧品部材２００の構成としては、環状形状の装着部１０とその装着部１０の環の内側に位置し、内径側に突き出るように掻き取り調整部１２が備えられている点は第１実施形態の化粧品部材１００と同様であるが、化粧品部材２００は、さらに掻き取り掃除部１４を備えているものである。
そして、図９には、図８に示す化粧品部材２００の断面図を示している。
【００４０】  なお、化粧品部材２００が備える掻き取り調整部１２が有する面取部１３の形状としては、第１実施形態において説明した化粧品部材１００の面取部１３と同様の形状とすればよい。つまり、図１、図２に示したように掻き取り調整部１２の上面１２ａ中程から、先端１２ｃへ向かって下面１２ｂへ下方傾斜するように形成されてもよいし、図３に示したように、掻き取り調整部１２の下面１２ｂの中程から先端１２ｃへ向かって上面１２ａへ上方傾斜している形状としてもよい。つまり化粧料塗布具の塗布部に付着した化粧料を掻き取ることができる形状であればどんな形状でもよい。
【００４１】  図８、図９に示す掻き取り掃除部１４は、掻き取り調整部１２の対角線上の装着部１０に位置し、この装着部１０の環の内径側に突き出るように化粧品部材２００に備えられている。
【００４２】  なお、掻き取り掃除部１４は掻き取り調整部１２の対角線上の装着部１０に位置している必要は必ずしもなく、装着部１０の環の内径側に突き出るように備えられており、掻き取り調整部１２で図５、図６で説明したコームブラシＢを擦り付けるときに、その動作の邪魔にならないくらいに所定間隔離れた位置に備えられていればよい。
【００４３】  そして、掻き取り掃除部１４は、コームブラシＢの塗布部である、櫛歯状に形成されている先端Ｂ’に付着しているマスカラ化粧料Ｍを掻き取り、除去するためにスリット部１５を有している。
【００４４】  このスリット部１５は、図８、図９に示すようにコームブラシＢの先端Ｂ’の櫛歯と嵌合することが可能な櫛歯形状を有し、掻き取り調整部１２の面取部１３と同様に掻き取り掃除部１４の上面１４ａの中程から先端１４ｃへ向かって下面１４ｂへ下方傾斜するように形成されている。
【００４５】  スリット部１５をこのような形状とすることで、コームブラシＢの先端Ｂ’の櫛歯の間に付着している余分なマスカラ化粧料Ｍを、掻き取り掃除部１４の櫛歯形状にて除去し、コームブラシＢを掃除することができるものである。
【００４６】  また、第２実施形態としての掻き取り掃除部１４の形状としては図８、図９に図示して説明した形状に限られるものではなく、コームブラシＢのように先端Ｂ’が櫛歯形状となっている塗布部を備えている化粧料塗布具の櫛歯の間に付着している化粧料を掻き取り、掃除できる形状であればよい。
【００４７】  図９には化粧品部材２００の断面図を示している。化粧品部材２００の装着部１０の内側１０ａの形状は化粧品部材１００の内側１０ａと同様の形状となっており、つまりは、化粧品部材２００においても、頂面を開口したジャー容器Ｃが備える頚部に装着が可能となっている。
【００４８】  図１０は、ジャー容器Ｃに化粧品部材２００を嵌合した場合の斜視図を示している。化粧品部材２００は、第１実施形態の化粧品部材１００と同様に、帳面が開口しているジャー容器Ｃの頚部と装着部１０の内側１０ａが嵌合するものである。そして、図示するように化粧品部材２００の掻き取り調整部１２、掻き取り掃除部１４は、装着部１０の内径側に突き出るように備えられているので、装着部１０がジャー容器Ｃの頚部に勘合されると、掻き取り調整部１２、掻き取り掃除部１４がジャー容器Ｃの開口部の内側に突き出ることになるものである。
【００４９】  また化粧品部材２００は、ジャー容器Ｃの頚部と装着部１０が嵌合したままでもジャー容器Ｃは蓋を装着することが可能な形状となっている。
【００５０】  そして、化粧品部材２００の装着部１０の内径の直径としては、ジャー容器Ｃに化粧品部材２００が装着されているときに、通常で使用されているコームブラシＢをジャー容器Ｃの内部への挿入及びジャー容器Ｃの外部への引き戻しを行ってもコームブラシＢ及びコームブラシＢに付着しているマスカラ化粧料Ｍが掻き取り調整部１２、掻き取り掃除部１４、装着部１０に接触することがない程度の直径であればよい。
【００５１】  ただし、化粧品部材２００の装着部１０の内径の直径は、化粧品部材１００と同様に、上述した直径に限られるもではなく、装着するジャー容器Ｃの開口部の直径に比例して変化させてもよい。
【００５２】  図１１は、ジャー容器Ｃに化粧品部材２００を装着し、このジャー容器Ｃに充填されているマスカラ化粧料ＭをコームブラシＢに付着させたあと、先端Ｂ’の櫛歯の間に付着している余分なマスカラ化粧料Ｍを掻き取り掃除部１４で掻き取っている態様を示している。
【００５３】  図示するように、コームブラシＢの先端Ｂ’を掻き取り掃除部１４のスリット部１５と嵌合させることで、先端Ｂ’の櫛歯の間に付着している余分なマスカラ化粧料Ｍを掻き取り掃除部１４は掻き取ることができ、コームブラシＢの先端Ｂ’を掃除することができる。
【００５４】  このように第２実施形態の化粧品部材２００においては、コームブラシＢに付着している余分なマスカラ化粧料Ｍを掻き取り調整部１２の面取部１３で掻き取ることができるので、ジャー容器Ｃの口元が汚れてしまうことがない。また、コームブラシＢに付着しているマスカラ化粧料Ｍの量を面取部１３で任意に調節することができる。
【００５５】  さらに化粧品部材２００では、掻き取り掃除部１４においてコームブラシＢの先端Ｂ’に付着して余分なマスカラ化粧料Ｍを掃除することができるので、ユーザはコームブラシＢを使い終わった後、余分なマスカラ化粧料Ｍを先端Ｂ’のスリット部１５に付着させたままにせずにすみ、衛生的にコームブラシＢを保存することができる。
【００５６】  また、掻き取り掃除部１４においても装着部１０の内側に備えられることで、スリット部１５において掻き取られた余分なマスカラ化粧料Ｍが剥がれ落ちてもジャー容器Ｃの内部に落下することになるので、ジャー容器Ｃの外面をマスカラ化粧料Ｍで汚すことがない。
【００５７】［変形例］
以上、本発明の実施形態について説明したが、本発明としてはこれまでに説明した実施形態に限定されるべきものではない。
例えば、化粧品部材１００及び化粧品部材２００が備える装着部１０は環状形状に限るものではなく、装着するジャー容器Ｃの開口部の形状に合わせて、四角形状や三角形状などの多角形状としてもよいし、ジャー容器の開口部にあわせた形状とすればよい。または、装着部１０はジャー容器Ｃの頚部全体に装着されるものではなく、この頚部の一部に装着される形状としてもよい。
【００５８】  また、装着部１３はジャー容器Ｃの頚部だけに装着されるものではなく、図示は省略したが、例えば、ジャー容器Ｃの側面や底面に装着されるような形状としてもよい。その場合でも、掻き取り調整部１２及び掻き取り掃除部１４は、ジャー容器Ｃの開口部の内側に突き出るように備えられるようにする。
【符号の説明】
【００５９】  １０  装着部、１０ａ  内側、１２  掻き取り調整部、１２ａ，１４ａ  上面、１２ｂ，１４ｂ  下面、１２ｃ，１４ｃ  先端、１３  面取部、１４  掻き取り掃除部、１５  スリット部、１００，２００  化粧品部材、Ｃ  ジャー容器、Ｂ  コームブラシ、Ｂ’  先端、Ｍ  マスカラ化粧料
【図１】
2010207560.tif 000003
【図２】
2010207560.tif 000004
【図３】
2010207560.tif 000005
【図４】
2010207560.tif 000006
【図５】
2010207560.tif 000007
【図６】
2010207560.tif 000008
【図７】
2010207560.tif 000009
【図８】
2010207560.tif 000010
【図９】
2010207560.tif 000011
【図１０】
2010207560.tif 000012
【図１１】
2010207560.tif 000013
【図１２】
2010207560.tif 000014